(57)【要約】【課題】  万一基材が流出しても、網状体を逐一取外し取付けすることなく網状体が装着されたままでブロック本体に基材を充填できるようにして、基材の補充作業を容易にし、補充作業性の向上を図る。【解決手段】  傾斜した法面に多数連続的に敷設されるものであって、貫通孔８を有した底壁２及び上側に開口４を形成する側壁３を有して箱状に形成され内部を植物が育成可能な基材Ｗが収容される収容空間５としたコンクリート製のブロック本体１と、ブロック本体１の側壁３の上端に架設される網状体２０とを備え、網状体２０を、ブロック本体１の開口４のうち法面の傾斜上位側に位置する開口４を開放した開放口２１を形成する大きさに形成した。【選択図】  図１
2006233521.tif 000002
【特許請求の範囲】
【請求項１】
傾斜した法面に多数連続的に敷設される護岸用緑化ブロックであって、貫通孔を有した底壁及び該底壁から立設され上側に開口を形成する側壁を有して箱状に形成され内部を植物が育成可能な基材が収容される収容空間としたコンクリート製のブロック本体と、該ブロック本体の側壁の上端に架設される網状体とを備えた護岸用緑化ブロックにおいて、
上記網状体を、上記ブロック本体の開口のうち上記法面の傾斜上位側に位置する開口を開放した開放口を形成する大きさに形成したことを特徴とする護岸用緑化ブロック。
【請求項２】
上記開放口の面積を上記開口の面積の２０％〜４０％に設定したことを特徴とする請求項１記載の護岸用緑化ブロック。
【請求項３】
上記網状体の大きさに略対応した大きさに切断され該網状体に覆われて上記基材を押さえる通気性のシートを備えたことを特徴とする請求項１または２記載の護岸用緑化ブロック。
【請求項４】
上記通気性のシートに、植物の種子を付帯させたことを特徴とする請求項３記載の護岸用緑化ブロック。
【請求項５】
上記網状体を、外周部を有した金属製の枠材と、該枠材に張設され網目を構成する金属製の線材とで構成し、上記開放口を、上記法面の傾斜上位側の開口を構成する側壁と、上記法面の傾斜上位側に位置し側壁の上端に架設される上記網状体の枠材とで構成したことを特徴とする請求項１，２，３または４記載の護岸用緑化ブロック。
【請求項６】
上記網状体を上記側壁に取り付けるための取付部材を備え、該取付部材を、上記側壁に埋設され雌ネジ部を有したウエルドナットと、上記網状体を貫通して上記ウエルドナットの雌ネジ部にねじ込まれる雄ネジを有した軸部及び該軸部の一端に設けられるボルト頭を有した固定ボルトと、該固定ボルトが挿通される挿通孔を有し該固定ボルトのボルト頭及び上記網状体間に介装されるワッシャとを備えて構成し、上記ワッシャを、上記網状体の表面側に当接する当接板と、該当接板に一体に折曲形成され上記網状体の枠材の外周部を押える押え板とを備えて構成したことを特徴とする請求項５記載の護岸用緑化ブロック。
【請求項７】
上記ワッシャの挿通孔を長孔に形成したことを特徴とする請求項６記載の護岸用緑化ブロック。
【請求項８】
上記底壁に上記収容空間に臨み上記網状体を支持するリブを立設したことを特徴とする請求項５，６または７記載の護岸用緑化ブロック。
【請求項９】
上記リブに対して上記網状体を取り付けるための取付部材を備え、該取付部材を、上記リブに埋設され雌ネジ部を有したウエルドナットと、上記網状体を貫通して上記ウエルドナットの雌ネジ部にねじ込まれる雄ネジを有した軸部及び該軸部の一端に設けられるボルト頭を有した固定ボルトと、該固定ボルトが貫通する挿通孔を有し該固定ボルトのボルト頭及び上記網状体間に介装されるワッシャとを備えて構成したことを特徴とする請求項８記載の護岸用緑化ブロック。
【請求項１０】
上記網状体の枠材に上記リブに沿う中間部を備え、上記ワッシャを、上記網状体の表面側に当接する当接板と、該当接板に一体に折曲形成され上記網状体の枠材の中間部を押える押え板とを備えて構成したことを特徴とする請求項９記載の護岸用緑化ブロック。
【請求項１１】
上記ワッシャの挿通孔を長孔に形成したことを特徴とする請求項１０記載の護岸用緑化ブロック。
【請求項１２】
上記リブとして、上記開放口に対応する部位が切除された短リブを備えたことを特徴とする請求項８，９，１０または１１記載の護岸用緑化ブロック。
【請求項１３】
上記リブとして、相対向する側壁間に亘って設けられ上記収容空間及び上記開放口を等分に仕切る仕切リブを備えたことを特徴とする請求項８，９，１０，１１または１２記載の護岸用緑化ブロック。
【請求項１４】
上記側壁の外側に、隣接する他の護岸用ブロックに当接して該他の護岸用ブロックとの間に目地材が充填される目地空間を確保する突起を設けたことを特徴とする請求項１，２，３，４，５，６，７，８，９，１０，１１，１２または１３記載の護岸用緑化ブロック。
【請求項１５】
上記側壁の外側に、隣接する他の護岸用ブロックとの間に充填される目地材が入り込む凹部を設けたことを特徴とする請求項１４記載の護岸用緑化ブロック。
【請求項１６】
傾斜した法面に護岸用緑化ブロックを多数連続的に敷設する護岸用緑化ブロックの構築方法において、
上記護岸用緑化ブロックとして、貫通孔を有した底壁及び該底壁から立設され上側に開口を形成する側壁を有して箱状に形成され内部を植物が育成可能な基材が収容される収容空間としたコンクリート製のブロック本体と、該ブロック本体の側壁の上端に架設され上記ブロック本体の開口のうち上記法面の傾斜上位側に位置する開口を開放した開放口を形成する大きさの網状体と、該網状体の大きさに略対応した大きさに切断され該網状体に覆われて上記基材を押さえる通気性のシートとを備えたものを用い、
法面に、先ず、上記ブロック本体を連続的に敷設し、次に、ブロック本体の収容空間に基材を収容し、それから、上記網状体に覆われる部位の基材を上記通気性のシートで覆い、その後、上記網状体を、上記シートの上からブロック本体の側壁の上端に架設することを特徴とする護岸用緑化ブロックの構築方法。
【請求項１７】
上記通気性のシートを、串で上記基材に止着することを特徴とする請求項１６記載の護岸用緑化ブロックの構築方法。
【請求項１８】
傾斜した法面に護岸用緑化ブロックを多数連続的に敷設する護岸用緑化ブロックの構築方法において、
上記護岸用緑化ブロックとして、貫通孔を有した底壁及び該底壁から立設され上側に開口を形成する側壁を有して箱状に形成され内部を植物が育成可能な基材が収容される収容空間としたコンクリート製のブロック本体と、該ブロック本体の側壁の上端に架設され上記ブロック本体の開口のうち上記法面の傾斜上位側に位置する開口を開放した開放口を形成する大きさの網状体と、上記網状体の大きさに略対応した大きさに切断され該網状体に覆われて上記基材を押さえる通気性のシートとを備えたものを用い、
予め、上記ブロック本体に上記シート及び網状体を固定し、このブロック本体を法面に連続的に敷設し、次に、ブロック本体に形成された開放口から収容空間に基材を収容することを特徴とする護岸用緑化ブロックの構築方法。
【発明の詳細な説明】
【技術分野】
【０００１】
本発明は、河川や湖等の比較的緩斜面の法面を保護するとともに植物の育成を可能とする護岸用緑化ブロック及び護岸用緑化ブロックの構築方法に関する。
【背景技術】
【０００２】
従来この種の護岸用緑化ブロックとしては、例えば、特開平８−１９９５２９号公報（特許文献１）に掲載されたものが知られている。
この護岸用緑化ブロックは、図１８に示すように、比較的緩やかに傾斜した緩斜面の法面Ｓに多数連続的に敷設される護岸用緑化ブロック１００であって、貫通孔（図示せず）を有した底壁１０１及び底壁１０１から立設され上側に開口１０２を形成する側壁１０３を有して箱状に形成され内部を植物が育成可能な土砂などの基材Ｗが収容されるコンクリート製のブロック本体１０４と、ブロック本体１０４の側壁１０３の上端に架設されブロック本体１０４の開口１０２を覆う金網などの網状体１０５とを備えて構成されている。
【０００３】
そして、この護岸用緑化ブロック１００を河川や湖等の法面Ｓに構築するときは、先ず、ブロック本体１０４を法面Ｓに連続的に敷設し、次に、バックフォー等を用いてブロック本体１０４に土砂等の基材Ｗを収容し、それから、このブロック本体１０４に網状体１０５をネジなどで止着し、基材Ｗを網状体１０５で覆う。
これにより、ブロック本体１０４で法面Ｓが押えられて保護されるとともに、日時が経過すると基材Ｗから芝や草花等の植物が育成し、自然の環境や風情が作り出される。この場合、ブロック本体１０４は、比較的緩斜面の法面Ｓに敷設され、また、ブロック本体１０４は網状体１０５で覆われているので、河川や湖の水あるいは降雨による土砂の滑落や流動が抑制される。
【０００４】
【特許文献１】特開平８−１９９５２９号公報
【発明の開示】
【発明が解決しようとする課題】
【０００５】
ところで、上記従来の護岸用緑化ブロック１００にあっては、ブロック本体１０４は網状体１０５で覆われているので、河川や湖の水あるいは降雨による土砂などの基材Ｗの滑落や流動が抑制されてはいるが、例えば、敷設初期に豪雨などがあった場合などには、雨水の流量が多くなったり河川の流速が速くなるなどして、やむを得ず土砂等の基材Ｗが流出してしまうことがあり、その場合には、再び、土砂などの基材Ｗをブロック本体１０４に充填しなければならない。この場合には、網状体１０５を一度取外し、それから、上記のようにバックフォー等を用いてブロック本体１０４に土砂等の基材Ｗを収容し、それから、再び網状体１０５をブロック本体１０４に止着することを行なう。そのため、網状体１０５を逐一取外して再び装着しなければならないので、作業が極めて煩雑になり、作業効率が極めて悪いという問題があった。
【０００６】
本発明は上記の問題点に鑑みて為されたもので、万一基材が流出しても、網状体を逐一取外し取付けすることなく網状体が装着されたままでブロック本体に基材を充填できるようにして、基材の補充作業を容易にし、補充作業性の向上を図った護岸用緑化ブロック及び護岸用緑化ブロックの構築方法を提供することを目的とする。
【課題を解決するための手段】
【０００７】
このような目的を達成するための本発明の護岸用緑化ブロックは、傾斜した法面に多数連続的に敷設される護岸用緑化ブロックであって、貫通孔を有した底壁及び該底壁から立設され上側に開口を形成する側壁を有して箱状に形成され内部を植物が育成可能な基材が収容される収容空間としたコンクリート製のブロック本体と、該ブロック本体の側壁の上端に架設される網状体とを備えた護岸用緑化ブロックにおいて、
上記網状体を、上記ブロック本体の開口のうち上記法面の傾斜上位側に位置する開口を開放した開放口を形成する大きさに形成した構成としている。
【０００８】
これにより、本発明の護岸用緑化ブロックは、河川や湖等の比較的緩斜面の法面に構築される。構築された状態においては、法面は、ブロック本体で押えられて保護される。また、日時が経過すると基材内に予め入れ込んだ種子あるいは自然に混入した種子や根から発芽し、芝や草花等の植物が育成していき、自然の環境や風情が作り出される。この場合、ブロック本体は、比較的緩斜面の法面に敷設され、また、ブロック本体は網状体で覆われているので、河川や湖の水あるいは降雨による土砂の滑落や流動が抑制される。
また、本護岸用緑化ブロックにおいては、開放口から基材が露出しているので、この部位においては、植物の発生が自然発生的に行なわれやすくなる。また、この開放口から基材が露出しているので、この開放口に露出した基材には、花などを容易に植栽することもでき、汎用性が大幅に向上させられる。
【０００９】
ところで、本護岸用緑化ブロックの敷設初期においては、開放口に露出した基材には網状体による押さえがないので、風雨などである程度減少することがある。また、緑化ブロックの敷設初期において、豪雨などがあった場合などには、雨水の流量が多くなったり河川の流速が速くなるなどして、やむを得ず土砂等の基材が大きく流出してしまうことがある。このような場合に、再び、土砂などの基材をブロック本体に充填することを行なう。この充填の際には、バックフォー等を用いてブロック本体の開放口から土砂等の基材を収容する。この場合、従来のように、逐一、網状体をブロック本体から取り外し、再度取り付けるという作業をしなくても、ブロック本体の開放口から土砂等の基材を供給できるので、補充作業が容易になり、補充作業性の向上が図られる。
【００１０】
そして、必要に応じ、上記開放口の面積を上記開口の面積の２０％〜４０％に設定している。この範囲で、基材の補充作業を容易にすることができる。２０％より小さいと、機材を入れにくくなる。また、４０％より大きいと網状体が小さくなって、基材の押さえが弱くなる。
【００１１】
そしてまた、必要に応じ、上記網状体の大きさに略対応した大きさに切断され該網状体に覆われて上記基材を押さえる通気性のシートを備えた構成としている。ブロック本体はシートを介して網状体で覆われ、これにより、基材は、シートと網状体により、二重に押えられることになることから、河川や湖の水あるいは降雨による土砂の滑落や流動がより一層確実に抑制される。
この場合、上記通気性のシートに、植物の種子を付帯させたことが有効である。シートから植物を発芽させて育成できるので、緑化を確実に行なうことができる。
【００１２】
また、必要に応じ、上記網状体を、外周部を有した金属製の枠材と、該枠材に張設され網目を構成する金属製の線材とで構成し、上記開放口を、上記法面の傾斜上位側の開口を構成する側壁と、上記法面の傾斜上位側に位置し側壁の上端に架設される上記網状体の枠材とで構成している。これにより、開放口を構成する網状体には、枠材の外周部があるので、それだけ強固になっており、基材の充填の際に網状体が曲がって凹んでしまう事態が防止される。
【００１３】
更に、必要に応じ、上記網状体を上記側壁に取り付けるための取付部材を備え、該取付部材を、上記側壁に埋設され雌ネジ部を有したウエルドナットと、上記網状体を貫通して上記ウエルドナットの雌ネジ部にねじ込まれる雄ネジを有した軸部及び該軸部の一端に設けられるボルト頭を有した固定ボルトと、該固定ボルトが挿通される挿通孔を有し該固定ボルトのボルト頭及び上記網状体間に介装されるワッシャとを備えて構成し、上記ワッシャを、上記網状体の表面側に当接する当接板と、該当接板に一体に折曲形成され上記網状体の枠材の外周部を押える押え板とを備えて構成している。これにより、網状体は、固定ボルトで押さえられることになるので、固定が強固になり基材の押さえを確実にすることができる。また、網状体の枠材は、ワッシャの押え板で押えられ、動きが規制されるので、この点でも固定が強固になり基材の押さえを確実にすることができる。
【００１４】
この場合、上記ワッシャの挿通孔を長孔に形成したことが有効である。ワッシャの押え板を網状体の枠材の外周部に沿わせて枠材を押えるように位置させるが、ワッシャの挿通孔は、長孔になっているので、この押え板が枠材に沿うように位置調整することが容易に行なわれる。
【００１５】
また、必要に応じ、上記底壁に上記収容空間に臨み上記網状体を支持するリブを立設した構成としている。網状体がリブで支持されるので、網状体の固定が強固になり基材の押さえをより一層確実にすることができる。
【００１６】
更に、上記リブに対して上記網状体を取り付けるための取付部材を備え、該取付部材を、上記リブに埋設され雌ネジ部を有したウエルドナットと、上記網状体を貫通して上記ウエルドナットの雌ネジ部にねじ込まれる雄ネジを有した軸部及び該軸部の一端に設けられるボルト頭を有した固定ボルトと、該固定ボルトが貫通する挿通孔を有し該固定ボルトのボルト頭及び上記網状体間に介装されるワッシャとを備えて構成している。これにより、網状体を、リブに対して、固定ボルトで押さえることになるので、固定が強固になりより一層基材の押さえを確実にすることができる。
【００１７】
この場合、上記網状体の枠材に上記リブに沿う中間部を備え、上記ワッシャを、上記網状体の表面側に当接する当接板と、該当接板に一体に折曲形成され上記網状体の枠材の中間部を押える押え板とを備えて構成したことが有効である。網状体の枠材の中間部が、ワッシャの押え板で押えられ、動きが規制されるので、この点でも固定が強固になり基材の押さえを確実にすることができる。
また、この場合、上記ワッシャの挿通孔を長孔に形成したことが有効である。ワッシャの押え板を枠材の中間部に沿わせて枠材を押えるように位置させるが、ワッシャの挿通孔は、長孔になっているので、この押え板が枠材に沿うように位置調整することが容易に行なわれる。
【００１８】
また、必要に応じ、上記リブとして、上記開放口に対応する部位が切除された短リブを備えた構成としている。これにより、開放口のある収容空間には、短リブが延びていないので、開放口が広く確保されており、そのため、バックフォーで基材を充填する場合など、バックフォーのバケットが入りやすくなり、基材の充填作業を容易に行なうことができるようになる。
【００１９】
更に、上記リブとして、相対向する側壁間に亘って設けられ上記収容空間及び上記開放口を等分に仕切る仕切リブを備えた構成としている。ブロック本体が比較的大きい場合、ブロック本体の強度保持を図ることができるとともに、網状体を仕切リブで支持できるので、網状体の固定が強固になり基材の押さえをより一層確実にすることができる。
【００２０】
更にまた、上記側壁の外側に、隣接する他の護岸用ブロックに当接して該他の護岸用ブロックとの間に目地材が充填される目地空間を確保する突起を設けた構成としている。この場合、ブロック本体間は、突起同士が当接しているので間隔が一定になっており、そのため、目地幅を均一に形成することができる。
この場合、上記側壁の外側に、隣接する他の護岸用ブロックとの間に充填される目地材が入り込む凹部を設けたことが有効である。ブロック本体の側壁には凹部が形成されているので、目地材がこの凹部に入り込み、そのため、ブロック本体間の結合を強固にすることができる。
【００２１】
また、上記目的を達成するための本発明の護岸用緑化ブロックの構築方法は、傾斜した法面に護岸用緑化ブロックを多数連続的に敷設する護岸用緑化ブロックの構築方法において、上記護岸用緑化ブロックとして、貫通孔を有した底壁及び該底壁から立設され上側に開口を形成する側壁を有して箱状に形成され内部を植物が育成可能な基材が収容される収容空間としたコンクリート製のブロック本体と、該ブロック本体の側壁の上端に架設され上記ブロック本体の開口のうち上記法面の傾斜上位側に位置する開口を開放した開放口を形成する大きさの網状体と、該網状体の大きさに略対応した大きさに切断され該網状体に覆われて上記基材を押さえる通気性のシートとを備えたものを用い、
法面に、先ず、上記ブロック本体を連続的に敷設し、次に、ブロック本体の収容空間に基材を収容し、それから、上記網状体に覆われる部位の基材を上記通気性のシートで覆い、その後、上記網状体を、上記シートの上からブロック本体の側壁の上端に架設する構成としている。
【００２２】
この方法により構築された護岸において、法面は、ブロック本体で押えられて保護される。また、日時が経過すると基材内に予め入れ込んだ種子あるいは自然に混入した種子や根から発芽し、芝や草花等の植物が育成していき、自然の環境や風情が作り出される。この場合、ブロック本体は、比較的緩斜面の法面に敷設され、また、ブロック本体はシートを介して網状体で覆われているので、河川や湖の水あるいは降雨による土砂の滑落や流動が抑制される。即ち、基材は、シートと網状体により、二重に押えられるので、より一層
滑落や流動が抑制される。
また、本護岸用緑化ブロックにおいては、開放口から基材が露出しているので、この部位においては、植物の発生が自然発生的に行なわれやすくなる。また、この開放口から基材が露出しているので、この開放口に露出した基材には、花などを容易に植栽することもでき、汎用性が大幅に向上させられる。
【００２３】
ところで、本護岸用緑化ブロックの敷設初期においては、開放口に露出した基材には網状体による押さえがないので、風雨などである程度減少することがある。また、緑化ブロックの敷設初期において、豪雨などがあった場合などには、雨水の流量が多くなったり河川の流速が速くなるなどして、やむを得ず土砂等の基材が大きく流出してしまうことがある。このような場合に、再び、土砂などの基材をブロック本体に充填することを行なう。この充填の際には、バックフォー等を用いてブロック本体の開放口から土砂等の基材を収容する。この場合、従来のように、逐一、網状体をブロック本体から取り外し、再度取り付けるという作業をしなくても、ブロック本体の開放口から土砂等の基材を供給できるので、そのため、補充作業が容易になり、補充作業性の向上が図られる。
【００２４】
そして、必要に応じ、上記通気性のシートを、串で上記基材に止着する構成としている。串で止着するので、より一層確実に基材を押えることができるようになる。
【００２５】
また、上記目的を達成するための本発明の別の護岸用緑化ブロックの構築方法は、傾斜した法面に護岸用緑化ブロックを多数連続的に敷設する護岸用緑化ブロックの構築方法において、上記護岸用緑化ブロックとして、貫通孔を有した底壁及び該底壁から立設され上側に開口を形成する側壁を有して箱状に形成され内部を植物が育成可能な基材が収容される収容空間としたコンクリート製のブロック本体と、該ブロック本体の側壁の上端に架設され上記ブロック本体の開口のうち上記法面の傾斜上位側に位置する開口を開放した開放口を形成する大きさの網状体と、上記網状体の大きさに略対応した大きさに切断され該網状体に覆われて上記基材を押さえる通気性のシートとを備えたものを用い、
予め、上記ブロック本体に上記シート及び網状体を固定し、このブロック本体を法面に連続的に敷設し、次に、ブロック本体に形成された開口から収容空間に基材を収容する構成としている。
【００２６】
これによれば、予め、シート及び網状体を固定したブロック本体を敷設し、その後は、ブロック本体に形成された開放口から収容空間に基材を収容する作業だけで構築作業を行なうことができ、そのため、逐一現場でシート及び網状体を固定する構築方法に比較して、より一層、構築作業が簡単に行なわれ、構築作業性を大幅に向上させることができる。
また、構築後は、基材は、シートと網状体により、二重に押えられるので、より一層滑落や流動が抑制される。更に、やむを得ず土砂等の基材が流出して、再び、土砂などの基材をブロック本体に充填する際には、従来のように、逐一、網状体をブロック本体から取り外し、再度取り付けるという作業をしなくても、ブロック本体の開放口から土砂等の基材を供給でき、そのため、補充作業が容易になり、補充作業性の向上が図られるなど、上記と同様の作用，効果を奏する。
【発明の効果】
【００２７】
本発明の護岸用緑化ブロック及び護岸用緑化ブロックの構築方法によれば、河川や湖等の法面に構築された状態においては、ブロック本体の基材を網状体で覆うので、河川や湖の水あるいは降雨による土砂の滑落や流動を抑制することができる。また、本護岸用緑化ブロックにおいては、開放口から基材が露出しているので、この部位においては、植物の発生を自然発生的に行なわれやすくすることができる。また、この開放口から基材が露出しているので、この開放口に露出した基材には、花などを容易に植栽することもでき、汎用性を大幅に向上させることができる
【００２８】
また、本発明の護岸用緑化ブロックの敷設初期において、豪雨などがあった場合などには、雨水の流量が多くなったり河川の流速が速くなるなどして、やむを得ず土砂等の基材が大きく流出してしまうことがあり、このような場合には、再び、土砂などの基材をブロック本体に充填することを行なうが、この充填の際には、バックフォー等を用いてブロック本体の開放口から土砂等の基材を収容することができる。この場合、従来のように、逐一、網状体をブロック本体から取り外し、再度取り付けるという作業をしなくても、ブロック本体の開放口から土砂等の基材を供給できるので、そのため、補充作業を容易にすることができ、補充作業性の向上を図ることができる。
【発明を実施するための最良の形態】
【００２９】
以下、添付図面に基づいて、本発明の実施の形態に係る護岸用緑化ブロック及び護岸用緑化ブロックの構築方法について詳細に説明する。
実施の形態に係る護岸用緑化ブロックの構築方法は、実施の形態に係る護岸用緑化ブロックを用いて実施されるので、護岸用緑化ブロックの作用の説明で説明する。
【００３０】
図１乃至図９に示すように、本発明の実施の形態に係る護岸用緑化ブロックＢは、河川や湖等の比較的緩やかに傾斜した緩斜面の法面Ｓに多数行列状に連続的に敷設される。この護岸用緑化ブロックＢは、底壁２及び底壁２から立設され上側に開口４を形成する側壁３を有して箱状に形成され内部を植物が育成可能な基材Ｗが収容される収容空間５としたコンクリート製のブロック本体１と、ブロック本体１の側壁３の上端に架設される網状体２０とを備えて構成されている。そして、網状体２０は、ブロック本体１の開口４のうち法面Ｓの傾斜上位側に位置する開口４を開放した開放口２１を形成する大きさに形成されている。
【００３１】
基材Ｗとしては、土，砂，石，これらを適宜混合したもの等植物が育成可能な材質のものであればどのようなものでも良い。河川や湖等では、現場の環境に即して、現場から採取した土砂を使用することが望ましい。
【００３２】
また、本護岸用緑化ブロックＢは、網状体２０の大きさに略対応した大きさに切断され、網状体２０に覆われて基材Ｗを押さえる通気性のシート６を備えることができる。このシート６は、図４に示すように、例えば、すのこ状の薄い樹脂シート６ａに、不織布６ｂを張着したものであり、不織布６ｂ内には、植物の種子（図示せず）が付帯させられている。
後述する実施の形態に係る護岸用緑化ブロックＢの構築方法においては、図１，図３，図４及び図７（５）に示すように、網状体２０に覆われる部位の基材Ｗを、この通気性のシート６で覆い、番線（針金）をＵ字状に折り曲げて形成される串６ｃで基材Ｗに止着する。
尚、シートと６しては、植物の種子を付帯させた構成のものに限定されるものではなく、例えば、網状体２０よりも目の細かい網状の樹脂シートでもよく、要するに通気性のものであればどのようなものでも良い。
【００３３】
更に詳しく説明すると、ブロック本体１は、コンクリート製の型製品であり、略矩形の底壁２と、この底壁２の外周から立設され上側に開口４を形成する４つの側壁３を有して略矩形箱状に形成されている。大きさは、例えば、縦９４８ｍｍ，横９４８ｍｍ，高さ３００ｍｍに形成されている。
また、底壁２には、収容空間５に臨み網状体２０を支持する短リブ７が立設されている。短リブ７は、法面Ｓの傾斜下位側に位置する側壁３の中央から傾斜上位側に位置する側壁３へ向けて延び、上記の開放口２１に対応する部位が切除されている。収容空間５において、側壁３及び短リブ７の壁面は、型抜きのために必要な勾配を有した傾斜面に形成されている。
【００３４】
底壁２には、４つの貫通孔８が短リブ７を境にして左右に２つずつ行列状に設けられている。貫通孔８は、法面Ｓの傾斜上位側に位置する側壁３から傾斜下位側に位置する側壁３に向けて細長状に形成されている。
また、各側壁３の外側の中央下側には、隣接する他の護岸用緑化ブロックＢに当接して他の護岸用緑化ブロックＢとの間にコンクリートなどの目地材Ｍ（図３，図６（３））が充填される目地空間を確保する突起９が設けられている。隣接する護岸用緑化ブロックＢ同士においては、突起９同士が当接する。
更に、各側壁３の外側には、隣接する他の護岸用緑化ブロックＢとの間に充填される目地材Ｍが入り込む凹部１０が長手方向に一対並設されている。
更にまた、側壁３のコーナ部には隣接する護岸用緑化ブロックＢ同士をワイヤなどで結束して連結するための金属製のリング状連結金具１１が設けられている。
【００３５】
網状体２０は、図１及び図４に示すように、金属製の枠材２２と、枠材２２に張設され網目を構成する金属製の線材２３とで構成されている。枠材２２は、外周部２２ａと、短リブ７に沿う中間部２２ｂとで構成されている。そして、上記の開放口２１は、法面Ｓの傾斜上位側の開口４を構成する側壁３と、法面Ｓの傾斜上位側に位置し側壁３の上端に架設される網状体２０の枠材２２の外周部２２ａとで構成されている。開放口２１の面積は、開口４の面積の２０％〜４０％に設定されている。実施の形態では、３０％に設定されている。
【００３６】
また、実施の形態に係る護岸用緑化ブロックＢにおいては、網状体２０を、側壁３及び短リブ７に取り付けるための取付部材３０を備えている。取付部材３０は、図１，図４及び図５に示すように、側壁３及び短リブ７に適宜間隔で埋設され雌ネジ部３１ａを有したウエルドナット３１と、網状体２０を貫通してウエルドナット３１の雌ネジ部３１ａにねじ込まれる雄ネジを有した軸部３２ａ及び軸部３２ａの一端に設けられるボルト頭３２ｂを有した固定ボルト３２と、固定ボルト３２が挿通される挿通孔３３を有し固定ボルト３２のボルト頭３２ｂ及び網状体２０間に介装されるワッシャ３４とを備えて構成されている。ワッシャ３４は、図４及び図５に示すように、網状体２０の表面側に当接する当接板３５と、当接板３５に一体に折曲形成され網状体２０の枠材２２の外周部２２ａもしくは中間部２２ｂを押える押え板３６とを備えて構成されている。また、ワッシャ３４の挿通孔３３は、押え板３６に直交する方向に延びる長孔に形成されている。
【００３７】
次に、この実施の形態に係る護岸用緑化ブロックＢを河川に構築する構築方法について、図６乃至図９に示す工程図を用いて説明する。尚、この護岸の構築においては、図８に示すように、法面Ｓの下端に設けるブロックＢａは、河床下に埋設されるので、本護岸用緑化ブロックＢから短リブ７を取り除き、網状体２０の取り付け用のウエルドナット３１も備えていない簡易なタイプのブロックを用いる。しかし、法面Ｓの下端に設けるブロックも、本護岸用緑化ブロックＢと同様のものであっても良いことは勿論である。
【００３８】
（１）基礎構築工程
先ず、図６（１）に示すように、河川の河床を河床線Ｐより深く掘削し、法面Ｓの終端にコンクリートの基礎４０を構築する。基礎４０は、河床線Ｐより例えば１ｍ下位に位置するよう構築される。また、必要に応じ、法面Ｓには、予め砕石を敷設して平坦かつ強固にしておく。
【００３９】
（２）ブロック本体敷設工程
次に，図６（２）に示すように、基礎４０部分から法面Ｓに沿ってブロック本体１を敷設する。この場合、先に、ブロックＢａを基礎４０に沿って敷設し、このブロックＢａの上に、ブロック本体１を敷設する。ブロック本体１のウエルドナット３１のあるところは、雌ネジ部３１ａに土等が入らないように粘着テープなどで封をしておくことが望ましい。この場合、連結金具１１においてワイヤなどで結束して連結する。また、ブロック本体１の突起９同士を当接させて敷設する。
【００４０】
（３）目地材充填工程
この状態で、図６（３）に示すように、ブロックＢａとブロック本体１との間及びブロック本体１間にコンクリートなどの目地材Ｍを充填する。この場合、図３に示すように、ブロック本体１間は、突起９同士が当接しているので間隔が一定になっており、そのため、目地幅が均一に形成される。また、ブロック本体１の側壁３には凹部１０が形成されているので、目地材Ｍがこの凹部１０に入り込み、そのため、ブロック本体１間の結合が強固になる。
【００４１】
（４）基材充填工程
この状態で、図７（４）に示すように、バックフォー（図示せず）などを用い、基材Ｗをブロック本体１の収容空間５に充填する。この場合、河床より下で埋め戻される部位及び河川の水に常時晒される部位においては、一般部とは別の処理をする。先ず、河床線Ｐより例えば０．５ｍ下にある下線ＰＬより下に位置するブロックＢａには、土Ｗａを入れる。次に、下線ＰＬと河床線Ｐより例えば０．５ｍ上にある上線ＰＨとの間に亘って位置するブロック本体１には、割石Ｗｂを入れる。
それから、植生が行なわれる上線ＰＨより上に位置するブロック本体１には、基材Ｗとしての土を入れる。土としては、現場の環境に即して、現場から採取した土砂を使用することが望ましい。
【００４２】
（５）シート敷設工程
次に、図７（５）に示すように、上線ＰＨより上に位置するブロック本体１において、網状体２０に覆われる部位の基材Ｗを、網状体２０の大きさに略対応した大きさに切断された通気性のシート６で覆い、番線（針金）をＵ字状に折り曲げて形成される串６ｃで基材Ｗに止着する。このシート６は、図４に示すように、すのこ状の薄い樹脂シート６ａに、不織布６ｂを張着したものであり、不織布６ｂ内には、植物の種子が付帯させられている。
【００４３】
（６）網状体取付工程
それから、図７（６）及び図８に示すように、網状体２０を取り付ける。この場合、網状体２０は、下線ＰＬと上線ＰＨとの間に亘って位置するブロック本体１にも取り付ける。この取り付けの際には、ウエルドナット３１の雌ネジ部３１ａを粘着テープなどで封をした場合には、これを剥ぎ取る。それから、網状体２０をブロック本体１の側壁３の上端に位置合わせして載置し、ウエルドナット３１にワッシャ３４を介して、固定ボルト３２をねじ込む。この場合、図４に示すように、ワッシャ３４の押え板３６を枠材２２に沿わせて枠材２２を押えるように位置させる。ワッシャ３４の挿通孔３３は、長孔になっているので、この押え板３６が枠材２２に沿うように位置調整することが容易に行なわれる。
【００４４】
網状体２０を取り付けた状態では、基材Ｗは、網状体２０によりシート６を介して押えられる。この場合、網状体２０は、短リブ７で支持され、しかも、側壁３及び短リブ７において、固定ボルト３２で押さえられることになるので、固定が強固になり基材Ｗの押さえが確実になる。また、網状体２０の枠材２２は、ワッシャ３４の押え板３６で押えられ、動きが規制されるので、この点でも固定が強固になり基材Ｗの押さえが確実になる。
【００４５】
（７）埋め戻し工程
最後に、図９に示すように、バックフォーなどを用い、河床線Ｐより下に土砂を入れ埋め戻す。また、次に、河床線Ｐから上線ＰＨに亘っては、石Ｗｃを入れて埋める。これにより、上線ＰＨより上に位置するブロック本体１が露出させられる。露出させられるブロック本体１には、網状体２０が固定されている。
尚、埋め戻しは、上線ＰＨより上のブロック本体１に土である基材Ｗを入れる前、あるいは、基材Ｗを入れた後で網状体２０を取り付ける前に行なっても良く、適宜変更して差支えない。
【００４６】
このようにして、護岸を構築したならば、入水する。この状態では、ブロック本体１で法面Ｓが押えられて保護される。また、図１０に示すように、日時が経過するとシート６内の種子が発芽し、あるいは基材Ｗ内に自然に混入した種子や根から発芽し、芝や草花等の植物が育成していき、自然の環境や風情が作り出される。この場合、ブロック本体１は、比較的緩斜面の法面Ｓに敷設され、また、ブロック本体１はシート６を介して網状体２０で覆われているので、河川や湖の水あるいは降雨による土砂の滑落や流動が抑制される。
【００４７】
また、本護岸用緑化ブロックＢにおいては、開放口２１から基材Ｗが露出しているので、この部位においては、シート６のあるところと比較して、植物の発生が自然発生的に行なわれる。そのため、全面積にシート６を敷設した場合に比較して、植物の密集を防止でき、適正な植物分布を作り出すことができる。また、基材Ｗとして現場の土を用いる場合には、この開放口２１に露出した基材Ｗから在来種の植物を発生させることができ、それだけ、自然環境を確保することができるようになる。更に、この開放口２１に露出した基材Ｗには、花などを容易に植栽することもでき、汎用性が大幅に向上させられる。
【００４８】
ところで、本護岸用緑化ブロックＢの敷設初期においては、開放口２１に露出した基材Ｗにはシート６や網状体２０による押さえがないので、風雨などである程度減少することがある。また、図１１に示すように、緑化ブロックの敷設初期において、豪雨などがあった場合などには、雨水の流量が多くなったり河川の流速が速くなるなどして、やむを得ず土砂等の基材Ｗが大きく流出してしまうことがある。このような場合に、再び、土砂などの基材Ｗをブロック本体１に充填することを行なう。この充填の際には、図１１に示すように、バックフォー等を用いてブロック本体１の開放口２１から土砂等の基材Ｗを収容する。この場合、従来のように、逐一、網状体２０をブロック本体１から取り外し、再度取り付けるという作業をしなくてもよく、そのため、補充作業が容易になり、補充作業性の向上が図られる。
【００４９】
また、開放口２１のある収容空間５には、短リブ７が延びていないので、開放口２１が広く確保されており、そのため、バックフォーのバケットが入りやすくなり、基材Ｗの充填作業が容易に行なわれる。また、開放口２１を構成する網状体２０には、枠材２２の外周部２２ａがあるので、それだけ強固になっており、基材Ｗの充填の際に網状体２０が曲がって凹んでしまう事態が防止される。
【００５０】
図１２及び図１３には、別の実施の形態に係る護岸用緑化ブロックＢの構築方法を示す。この構築においては、護岸用緑化ブロックＢとして、予め網状体２０を取り付けたものを用いる。特に、図１２に示すように、法面Ｓに露出するものには、予めシート６も取り付けておく。シート６としては、上記の植物の種子を付帯させたものでも良いが、ここでは、網状の樹脂製シートが用いられる。また、法面Ｓの下端に設けるブロックＢａは、河床下に埋設されるので、本護岸用緑化ブロックＢから短リブ７を取り除き、網状体２０の取り付け用のウエルドナット３１も備えていない簡易なタイプのブロックを用いる。しかし、法面Ｓの下端に設けるブロックも、本護岸用緑化ブロックＢと同様のものであっても良いことは勿論である。
【００５１】
この別の実施の形態に係る護岸用緑化ブロックＢの構築方法は、上記と同様に、先ず、河川の河床を河床線Ｐより深く掘削し、法面Ｓの終端にコンクリートの基礎４０を構築する。それから、図１３（ａ）に示すように、基礎４０部分から法面Ｓに沿ってブロック本体１を敷設する。この場合、先に、ブロックＢａを基礎４０に沿って敷設し、このブロックＢａの上に、予め網状体２０のみを取り付けたブロック本体１を２段に敷設し、更にこの上に、予め網状体２０及びシート６を取り付けたブロック本体１を２段に敷設する。この状態で、上記と同様に、ブロックＢａとブロック本体１との間及びブロック本体１間にコンクリートなどの目地材Ｍを充填する。
【００５２】
この状態で、図１３（ｂ）に示すように、バックフォー（図示せず）などを用い、基材Ｗをブロック本体１の収容空間５に充填する。この場合、河床より下で埋め戻される部位及び河川の水に常時晒される部位においては、一般部とは別の処理をする。先ず、河床線Ｐより下にある下線ＰＬより下に位置するブロックＢａには、土Ｗａを入れる。次に、下線ＰＬと河床線Ｐより上にある上線ＰＨとの間に亘って位置するブロック本体１には、割石Ｗｂを入れる。
それから、植生が行なわれる上線ＰＨより上に位置するブロック本体１には、図１２に示すように、基材Ｗとしての土を入れる。土としては、現場の環境に即して、現場から採取した土砂を使用することが望ましい。
【００５３】
この場合、予め網状体２０を固定したブロック本体１、あるいは、予めシート６及び網状体２０を固定したブロック本体１においては、ブロック本体１に形成された開放口２１から収容空間５に基材Ｗを収容する作業だけで、基材Ｗを網状体２０で覆った状態にすることができ、そのため、上記のように逐一現場でシート６及び網状体２０を固定する構築方法に比較して、より一層、構築作業が簡単に行なわれ、構築作業性を大幅に向上させることができる。
【００５４】
最後に、バックフォーなどを用い、河床線Ｐより下に土砂を入れ埋め戻す。また、河床線Ｐから上線ＰＨに亘っては、石を入れて埋める。これにより、上線ＰＨより上に位置するブロック本体１が露出させられる。そして、構築後は、基材Ｗは、シート６と網状体２０により、二重に押えられるので、より一層滑落や流動が抑制される。更に、やむを得ず土砂等の基材Ｗが流出して、再び、土砂などの基材Ｗをブロック本体１に充填する際には、従来のように、逐一、網状体２０をブロック本体１から取り外し、再度取り付けるという作業をしなくても、ブロック本体１の開放口２１から土砂等の基材Ｗを供給でき、そのため、補充作業が容易になり、補充作業性の向上が図られるなど、上記と同様の作用，効果を奏する。
【００５５】
図１４乃至図１６には、本発明の別の実施の形態に係る護岸用緑化ブロックＢを示している。これは、上記の護岸用緑化ブロックＢを２つ横に一体に連設した形状のものである。詳しくは、ブロック本体１は、コンクリート製の型製品であり、略長方形の底壁２と、この底壁２の外周から立設され上側に開口４を形成する４つの側壁３を有して略矩形箱状に形成されている。大きさは、例えば、縦９４８ｍｍ，横１９４８ｍｍ，高さ３００ｍｍに形成されている。
【００５６】
また、底壁２には、法面Ｓの傾斜下位側に位置する側壁３の中央からこれに相対向し傾斜上位側に位置する側壁３間に亘って、収容空間５及び開放口２１を２等分に仕切るとともに網状体２０を支持する仕切リブ５０が設けられている。更に、仕切リブ５０で仕切られた各収容空間５においては、この収容空間５に臨み網状体２０を支持する上記と同様の短リブ７が立設されている。収容空間５において、側壁３，仕切リブ５０及び短リブ７の壁面は、型抜きのために必要な勾配を有した傾斜面に形成されている。
【００５７】
更に、網状体２０も上記と同様に形成されており、金属製の枠材２２には仕切リブ５０に沿う中間部２２ｂが設けられている。そして、上記の開放口２１は、法面Ｓの傾斜上位側の開口４を構成する側壁３と、法面Ｓの傾斜上位側に位置し側壁３の上端に架設される網状体２０の枠材２２の外周部２２ａとで構成されている。開放口２１の面積は、開口４の面積の２０％〜４０％に設定されている。実施の形態では、３０％に設定されている。
また、仕切リブ５０に対応して、網状体２０を取り付けるための上記と同様の取付部材３０が設けられている。他の構成は、上記と略同様である。これによれば、仕切リブ５０を備えたので、ブロック本体１が比較的大きい場合、ブロック本体１の強度保持を図ることができるとともに、網状体２０を仕切リブ５０で支持できるので、網状体２０の固定が強固になり基材Ｗの押さえをより一層確実にすることができる。他の作用は上記と同様である。この護岸用緑化ブロックＢ（図１２）は上記の護岸用緑化ブロックＢ（図１）と併用してよい。
尚、この別の実施の形態に係る護岸用緑化ブロックＢにおいても、シート６を適宜用いてよい。
【００５８】
図１７（ａ）には、別のタイプのブロック６０を示している。これは、上記最初の実施の形態に係る護岸用緑化ブロックＢを２分割した大きさのブロック本体１のみで構成されている。網状体２０を装着するものではなく、リブもない。貫通孔８は、左右一対設けられている。左右の各側壁３にある凹部１０は一個である。このブロック６０は、上記図８に示した最下端のブロックＢａと同様に、上記の護岸用緑化ブロックＢを敷設する際、必要に応じて、縦方向あるいは横方向にして河床より下側などに適宜敷設され、延長方向及び法長方向の護岸用緑化ブロックＢの位置調整などの用に供される。
【００５９】
図１７（ｂ）には、また別のタイプのブロック７０を示している。これは、上記最初の実施の形態に係る護岸用緑化ブロックＢを２分割した大きさのブロック本体１と、ブロック本体１の開口を全部覆う網状体７１とを備えて構成されている。貫通孔８は、左右一対設けられている。左右の各側壁３にある凹部１０は一個である。このブロック７０は、上記の護岸用緑化ブロックＢを敷設する際、必要に応じて、縦方向あるいは横方向にして適宜敷設され、延長方向及び法長方向の護岸用緑化ブロックＢの位置調整などの用に供される。
【００６０】
尚、シート６としては、上述した植物の種子を付帯させた構成のもの、あるいは、網状体２０よりも目の細かい網状の樹脂シートに限定されるものではなく、要するに通気性のものであればどのようなものでも良い。
尚また、上記実施の形態において、ブロック本体１の形状は上述したものに限定されるものではなく、例えば、三角形状，六角形状等、種々の形状に形成してよいことは勿論である。
【図面の簡単な説明】
【００６１】
【図１】本発明の実施の形態に係る護岸用緑化ブロックを示す分解斜視図である。
【図２】本発明の実施の形態に係る護岸用緑化ブロックを示す平面図である。
【図３】本発明の実施の形態に係る護岸用緑化ブロックを法面に構築した状態で示す図２中Ａ−Ａ線相当断面図である。
【図４】本発明の実施の形態に係る護岸用緑化ブロックの取付部材の構造を示す要部拡大断面図である。
【図５】本発明の実施の形態に係る護岸用緑化ブロックにおいて取付部材のワッシャの構成を示す斜視図である。
【図６】本発明の実施の形態に係る護岸用緑化ブロックの構築方法を示す工程図である。
【図７】本発明の実施の形態に係る護岸用緑化ブロックの構築方法を示す工程図である。
【図８】本発明の実施の形態に係る護岸用緑化ブロックの構築状態を示す平面図である。
【図９】本発明の実施の形態に係る護岸用緑化ブロックの構築状態を示す断面図である。
【図１０】本発明の実施の形態に係る護岸用緑化ブロックの構築後の状態例を示す断面図である。
【図１１】本発明の実施の形態に係る護岸用緑化ブロックの構築後の別の状態例を示す断面図である。
【図１２】本発明の別の実施の形態に係る護岸用緑化ブロック本の構築方法を示す拡大断面図である。
【図１３】本発明の別の実施の形態に係る護岸用緑化ブロックの構築方法において工程の要部を示す図である。
【図１４】本発明の別の実施の形態に係る護岸用緑化ブロックを示す斜視図である。
【図１５】本発明の別の実施の形態に係る護岸用緑化ブロックを示す平面図である。
【図１６】本発明の別の実施の形態に係る護岸用緑化ブロックを示す図１５中Ｂ−Ｂ線相当断面図である。
【図１７】本発明の実施の形態に係る護岸用緑化ブロックの構築において使用する他のブロックを示す平面図である。
【図１８】従来の護岸用緑化ブロックをその構築例とともに示す図である。
【符号の説明】
【００６２】
Ｂ  護岸用緑化ブロック
Ｓ  法面
Ｗ  基材
１  ブロック本体
２  底壁
３  側壁
４  開口
５  収容空間
６  シート
６ｃ  串
７  短リブ
８  貫通孔
９  突起
Ｍ  目地材
１０  凹部
１１  連結金具
２０  網状体
２１  開放口
２２  枠材
２２ａ  外周部
２２ｂ  中間部
２３  線材
３０  取付部材
３１  ウエルドナット
３２  固定ボルト
３３  挿通孔
３４  ワッシャ
３５  当接板
３６  押え板
（１）基礎構築工程
（２）ブロック本体敷設工程
（３）目地材充填工程
（４）基材充填工程
（５）シート敷設工程
（６）網状体取付工程
（７）埋め戻し工程
４０  基礎
Ｐ  河床線
ＰＬ  下線
ＰＨ  上線
５０  仕切リブ
６０  ブロック
７０  ブロック
【図１】
2006233521.tif 000003
【図２】
2006233521.tif 000004
【図３】
2006233521.tif 000005
【図４】
2006233521.tif 000006
【図５】
2006233521.tif 000007
【図６】
2006233521.tif 000008
【図７】
2006233521.tif 000009
【図８】
2006233521.tif 000010
【図９】
2006233521.tif 000011
【図１０】
2006233521.tif 000012
【図１１】
2006233521.tif 000013
【図１２】
2006233521.tif 000014
【図１３】
2006233521.tif 000015
【図１４】
2006233521.tif 000016
【図１５】
2006233521.tif 000017
【図１６】
2006233521.tif 000018
【図１７】
2006233521.tif 000019
【図１８】
2006233521.tif 000020